(57)【要約】【課題】帯電性が改善された信頼性の高い梱包袋及びそれを用いた静電気除去方法を提供する。【解決手段】梱包袋１は、液晶モジュールを収納したままの状態で大気圧以下に減圧して密閉する用途に用いられ、液晶モジュールを収納するための開口部２と、開口部２付近に配置された開口部側低抵抗領域４ａとを備えている。開口部側低抵抗領域４ａは、周囲と比較して小さい抵抗値を持つことにより、密閉された梱包袋１の開梱時における梱包袋１に流入する空気と梱包袋１との間の摩擦帯電に起因して開口部２付近に生じる帯電電荷を保持する働きをする。【選択図】図１
2009286412.tif 000002
【特許請求の範囲】
【請求項１】
被梱包物を収納したままの状態で大気圧以下に減圧して密閉する梱包袋であって、
前記梱包袋の脱気時または減圧状態の開放時における通気を行うための通気口と、
前記梱包袋の前記通気口付近に配置されており、周囲と比較して小さい抵抗値を持つことにより、通気に起因して前記通気口付近に生じる帯電電荷を保持する低抵抗領域と
を備えていることを特徴とする梱包袋。
【請求項２】
前記通気口は、前記梱包袋を出し入れするための開口部を含んでいることを特徴とする請求項１に記載の梱包袋。
【請求項３】
前記通気口は、前記梱包袋の脱気または減圧状態の開放を行う専用の通気口を含んでいることを特徴とする請求項１または２に記載の梱包袋。
【請求項４】
前記梱包袋は、前記通気口に設けられた再利用可能な密閉手段をさらに備えていることを特徴とする請求項１〜３のいずれか１項に記載の梱包袋。
【請求項５】
被梱包物を収納したままの状態で大気圧以下に減圧して密閉する梱包袋の帯電電荷を除去する静電気除去方法であって、
前記梱包袋の脱気時または減圧状態の開放時における通気を行うための通気口付近に、周囲と比較して小さい抵抗値を持つ低抵抗領域が配置されており、
通気に起因して前記通気口付近に生じる帯電電荷を前記低抵抗領域に保持し、
前記低抵抗領域を接地することにより前記低抵抗領域に保持された前記帯電電荷を放電させることを特徴とする静電気除去方法。
【発明の詳細な説明】
【技術分野】
【０００１】
本発明は、液晶表示パネル等の輸送に好適な梱包袋及びそれを用いた静電気除去方法に関する。
【背景技術】
【０００２】
近年、液晶表示パネルを採用したカラーテレビジョンやカラーモニタ、デジタルスチールカメラ等の液晶表示装置が急速に普及して来ている。これらの液晶表示装置に用いられる液晶表示パネルは、対向する２枚のガラス基板とそれらに挟持される液晶材料とからなる。２枚のガラス基板の一方は、ＴＦＴ（Ｔｈｉｎ Ｆｉｌｍ Ｔｒａｎｓｉｓｔｏｒ）及び透明な画素電極層がガラス板上にマトリクス状に設けられたＴＦＴアレイ基板であり、他方は、着色層及び透明な対向電極層がガラス板上に設けられたカラーフィルター基板である。
【０００３】
上記のＴＦＴアレイ基板上には、個々の画素領域を制御するための配線や、スイッチング素子、電極等が形成されている。このＴＦＴ基板とカラーフィルター基板とが液晶を挟むように重ね合わされ、映像信号や走査信号を供給するドライバ回路、コントローラ回路等のＩＣ、ＬＳＩが搭載されることにより、液晶表示装置を構成する液晶モジュールが完成する。
【０００４】
通常、このような液晶モジュールの製造は、液晶表示装置の組み立て工場とは別の工場で行われることが多い。したがって、製造した液晶モジュールを一旦梱包し、組み立て工場へと搬送することになる。液晶モジュールのガラス基板の品質は、液晶表示装置の表示品質に直結するため、搬送の際には、傷が生じないようにガラス基板を適切に保護する必要がある。
【０００５】
従来、このような液晶モジュールを輸送する場合に用いられる梱包方法として、例えば、特許文献１に開示されたものがある。図６〜図８は、特許文献１に開示された従来の梱包方法を説明するための図である。特許文献１に開示された従来の梱包方法においては、まず、図６に示すように、アルミニウム板２２上にあらかじめ配置された複数の液晶モジュール２１が梱包袋２３に収納される。
【０００６】
次に、梱包袋２３に複数の液晶モジュール２１が収納された後、排気ポンプ等の真空吸引源２５により吸引パイプ２４を通じて梱包袋２３内の空気が吸引され、大気圧以下に減圧される。
【０００７】
次に、梱包袋２３内が大気圧以下に減圧された後、図７に示すように、梱包袋２３の開口部が熱圧着等の封止部２６により真空パッキングされ、梱包袋２３内が真空状態で保持される。
【０００８】
そして、真空パッキングされた梱包袋２３は、図８に示すように、段ボール箱等の外装用梱包箱２７内に収納される。この収納の際には、外装用梱包箱２７の外部からの衝撃を緩和するための緩衝材２８が外装用梱包箱２７の四側面と上下に配置される。
【特許文献１】特開２００４−２６９０２６号公報（平成１６年９月３０日公開）
【発明の開示】
【発明が解決しようとする課題】
【０００９】
上記のような液晶表示装置には高い性能が益々要求されるようになって来ており、このため、このような液晶表示装置を量産する製造工程では様々な製造上の問題に対する改善が行われている。その中でも特に大きな問題として、液晶モジュールが帯びる静電気の対策に関連するものが挙げられる。
【００１０】
液晶表示パネルを構成するガラス基板は絶縁材料であり、静電気による帯電が発生し易い材料である。このため、ガラス基板を利用する場合には、厳しい静電気対策を行う必要がある。なぜなら、静電気による塵埃付着、ガラス微紛等のパーティクル付着の問題や、ガラス基板上に形成された液晶素子の絶縁破壊、素子性能の劣化へと結びつく危険性が高くなるからである。
【００１１】
このように、液晶表示装置の量産においては、ガラス基板等の液晶モジュールに対する静電気対策が必須な事柄となる。しかしながら、特許文献１に開示された上記の梱包方法は、液晶モジュールの静電気対策に関して、次に述べる問題点を有している。
【００１２】
上記の梱包方法では、上述したように、液晶モジュール２１が梱包袋２３内に真空状態で保持され、輸送される。そして、所定の場所に輸送後、梱包袋２３の真空状態が破られ、梱包袋２３内が大気圧になった後に梱包袋２３内の液晶モジュール２１が梱包袋２３内から取り出されることになる。
【００１３】
ここで、梱包袋２３の真空状態が破られるときには、当然のことながら、梱包袋２３内に空気が急激に流れ込むことになる。このため、この急激に流れ込む空気と梱包袋２３の特に開口部との間に摩擦が生じ、その結果、その摩擦に起因して梱包袋２３が帯電してしまう。この摩擦帯電により梱包袋２３に蓄積される電荷が梱包袋２３内に収納されている液晶モジュール２１に移動すると、液晶モジュール２１に搭載された各種のＩＣやＬＳＩに対して静電放電（ＥＳＤ；Ｅｌｅｃｔｒｏｓｔａｔｉｃ  Ｄｉｓｃｈａｒｇｅ)を起こす要因となり、延いては、液晶モジュール２１の破壊を招くことになってしまう。
【００１４】
さらに、梱包袋２３の帯電電荷は、梱包袋２３自身に対しても静電放電を引き起こし、その結果、梱包袋２３に微小な穴を形成する要因ともなる。この微小な穴は、梱包袋２３の気密性を低下させることになり、梱包袋２３の寿命を劣化させてしまう。
【００１５】
上記問題点に鑑み、本発明の目的は、帯電性が改善された信頼性の高い梱包袋及びそれを用いた静電気除去方法を提供することである。
【課題を解決するための手段】
【００１６】
上記目的を達成するために、本発明にかかる梱包袋は、被梱包物を収納したままの状態で大気圧以下に減圧して密閉する梱包袋であって、前記梱包袋の脱気時または減圧状態の開放時における通気を行うための通気口と、前記梱包袋の前記通気口付近に配置されており、周囲と比較して小さい抵抗値を持つことにより、通気に起因して前記通気口付近に生じる帯電電荷を保持する低抵抗領域とを備えていることを特徴とする。
【００１７】
上記の梱包袋では、密閉された梱包袋の開梱時に梱包袋に流入する空気と梱包袋との間において例えば摩擦帯電が生じ、梱包袋が帯電した場合でも、帯電電荷は周囲と比較して小さい抵抗値を持つ低抵抗領域により保持されるので、梱包袋に収納されている被梱包物側に帯電電荷が伝導せず、そうすることにより、帯電電荷に起因する被梱包物の静電破壊を回避することができる。
【００１８】
さらに、上記の梱包袋では、梱包袋自身にも静電放電を引き起こすことがなくなるので、梱包袋の劣化を招くこともない。このため、梱包袋の気密性が向上し、梱包袋の延命化も実現される。
【００１９】
前記通気口は、前記梱包袋を出し入れするための開口部を含んでいることが好ましい。
【００２０】
この場合、密閉された梱包袋の開梱時に開口部を通して梱包袋に流入する空気と梱包袋との間における摩擦帯電に起因する帯電電荷も低抵抗領域により保持することができるので、帯電電荷に起因する被梱包物の静電破壊の回避を効果的に行うことができる。
【００２１】
前記通気口は、前記梱包袋の脱気または減圧状態の開放を行う専用の通気口を含んでいることが好ましい。
【００２２】
この場合、密閉された梱包袋の開梱時に脱気または減圧状態の開放を行う専用の通気口を通して梱包袋に流入する空気と梱包袋との間における摩擦帯電に起因する帯電電荷も低抵抗領域により保持することができるので、帯電電荷に起因する被梱包物の静電破壊の回避を効果的に行うことができる。
【００２３】
前記梱包袋は、前記通気口に設けられた再利用可能な密閉手段をさらに備えていることが好ましい。
【００２４】
この場合、通気口の密閉を繰り返し行うことができるので、梱包袋の再利用が可能となる。
【００２５】
本発明にかかる静電気除去方法は、被梱包物を収納したままの状態で大気圧以下に減圧して密閉する梱包袋の帯電電荷を除去する静電気除去方法であって、前記梱包袋の脱気時または減圧状態の開放時における通気を行うための通気口付近に、周囲と比較して小さい抵抗値を持つ低抵抗領域が配置されており、通気に起因して前記通気口付近に生じる帯電電荷を前記低抵抗領域に保持し、前記低抵抗領域を接地することにより前記低抵抗領域に保持された前記帯電電荷を放電させることを特徴とする。
【００２６】
上記の静電気除去方法では、密閉された梱包袋の開梱時に梱包袋に流入する空気と梱包袋との間において例えば摩擦帯電が生じ、梱包袋が帯電した場合でも、帯電電荷は周囲と比較して小さい抵抗値を持つ低抵抗領域により保持されるので、梱包袋に収納されている被梱包物側に帯電電荷が伝導せず、そうすることにより、帯電電荷に起因する被梱包物の静電破壊を回避することができる。
【００２７】
さらに、上記の梱包袋では、梱包袋自身にも静電放電を引き起こすことがなくなるので、梱包袋の劣化を招くこともない。このため、梱包袋の気密性が向上し、梱包袋の延命化も実現される。
【発明の効果】
【００２８】
本発明にかかる梱包袋は、以上のように、梱包袋の開口部付近に配置されており、周囲と比較して小さい抵抗値を持つことにより、密閉された梱包袋の開梱時における梱包袋に流入する空気と梱包袋との間の摩擦帯電に起因して開口部付近に生じる帯電電荷を保持する開口部側低抵抗領域を備えるものである。
【００２９】
それゆえ、帯電性が改善された信頼性の高い梱包袋を提供するという効果を奏する。
【発明を実施するための最良の形態】
【００３０】
以下、本発明の実施の形態について、図面を参照しながら説明する。なお、同一部分には同一符号を付し、図面で同一の符号が付いたものは、説明を省略する場合もある。
【００３１】
図１は、本発明の実施の形態にかかる梱包袋の外観構成を示す斜視図である。本実施の形態にかかる梱包袋１は、開口部（通気口）２と、吸気口部（通気口）３と、開口部側低抵抗領域４ａと、吸気口部側低抵抗領域４ｂと、開口部側密閉部材５ａと、吸気口部側密閉部材５ｂと、を備えている。
【００３２】
本実施の形態にかかる梱包袋１の開口部２は、液晶モジュール等の被梱包物を梱包袋１内に搬入する一方、梱包袋１内から搬出するために設けられたものである。本実施の形態にかかる梱包袋１の利用者は、開口部２を通して被梱包物を梱包袋１内に収納すると共に、開口部２を通して梱包袋１内の被梱包物を梱包袋１内から取り出すことができる。
【００３３】
本実施の形態にかかる梱包袋１の吸気口部３は、梱包袋１内の空気を吸引するために設けられたものである。また、梱包袋１内の脱気後において、吸気口部３を通して、梱包袋１内の減圧状態の開放が行われる場合もある。梱包袋１内の減圧状態の開放を行うのであれば、吸気口部３を開閉する開閉弁を設けることが好ましい。
【００３４】
本実施の形態にかかる梱包袋１の利用者は、吸気口部３を通して梱包袋１内の空気を吸引し、梱包袋１内を大気圧以下に減圧し、真空状態とすることができる。もちろん、本発明は、この構成に限られるものではない。特許文献１に開示された梱包袋２３と同様に、本実施の形態の開口部２に吸引パイプを挿入し、吸引パイプを通して梱包袋１内の空気が吸引されるようにしても構わない。この場合、本実施の形態の吸気口部３は不要となる。
【００３５】
本実施の形態にかかる梱包袋１の開口部側低抵抗領域４ａ及び吸気口部側低抵抗領域４ｂは、開口部側低抵抗領域４ａ及び吸気口部側低抵抗領域４ｂを除く梱包袋１の他の領域よりも小さい抵抗値を持っている。具体的には、例えば、梱包袋１がビニル製である場合、梱包袋１の開口部２及び吸気口部３付近にアルミニウム等の金属からなる導電性の薄膜の帯を設ければ良い。この場合、その薄膜の帯が設けられた領域が開口部側低抵抗領域４ａ及び吸気口部側低抵抗領域４ｂを実現することになる。もちろん、本発明は、この構成に限られるものではない。例えば、梱包袋１の材質に適合した導電性樹脂を塗布することによって、低抵抗領域を形成してもよい。要は、開口部側低抵抗領域４ａ及び吸気口部側低抵抗領域４ｂが他の領域と比較して低い抵抗値を持っていれば良い。また、梱包袋１の材質が合成樹脂、あるいは、ゴムであっても同様である。
【００３６】
また、本実施の形態においては、開口部側低抵抗領域４ａ及び吸気口部側低抵抗領域４ｂの各々は、図１に示すように、所定の幅を持っており、開口部２及び吸気口部３付近を一回りするように配置されている。開口部側低抵抗領域４ａ及び吸気口部側低抵抗領域４ｂの各々の幅は、梱包袋１内に被梱包物が収納された場合において、開口部側低抵抗領域４ａ及び吸気口部側低抵抗領域４ｂの各々と被梱包物とが接触しないように設定されている。もちろん、開口部側低抵抗領域４ａ及び吸気口部側低抵抗領域４ｂを必ずしも開口部２及び吸気口部３付近を一回りするように配置する必要はない。後述するように、開口部側低抵抗領域４ａ及び吸気口部側低抵抗領域４ｂは、梱包袋１の帯電電荷を保持する役割を担うものであり、梱包袋１の帯電電荷が被梱包物側に伝導してしまうことを防止するためのものである。開口部側低抵抗領域４ａ及び吸気口部側低抵抗領域４ｂのサイズは、上記の役割が果たされるように、梱包袋１のサイズに応じて決められている。
【００３７】
本実施の形態にかかる梱包袋１の開口部側密閉部材５ａ及び吸気口部側密閉部材５ｂは、梱包袋１内の真空状態を保持するためのものである。具体的には、梱包袋１内に被梱包物が収納された後、梱包袋１内の空気が吸引され、大気圧以下に減圧される。開口部側密閉部材５ａ及び吸気口部側密閉部材５ｂは、梱包袋１内が大気圧以下に減圧された後、梱包袋１の開口部２及び吸気口部３を封止し、梱包袋１内を大気圧以下、つまり真空状態で保持する。
【００３８】
また、本実施の形態の開口部側密閉部材５ａ及び吸気口部側密閉部材５ｂは、開口部２及び吸気口部３の密閉を繰り返し行うことができるように構成されている。このため、梱包袋１の再利用が可能となり、梱包袋１に要するコストを削減することができる。
【００３９】
次に、本実施の形態にかかる梱包袋１内に被梱包物が収納された状態について簡単に説明する。図２に、本実施の形態にかかる梱包袋１内に被梱包物が収納された状態を示し、図３に、本実施の形態にかかる梱包袋１内に収納された液晶モジュールの具体例を示す。
【００４０】
本実施の形態にかかる梱包袋１においては、図２に示すように、複数の液晶モジュール６が積層するように液晶モジュール配置板７上に配置されており、液晶モジュール配置板７上にあらかじめ配置された複数の液晶モジュール６が梱包袋１内に収納される。なお、液晶モジュール配置板７は例えば、アルミニウム等の金属や、ＰＰ（ポリプロピレン）からなる帯電防止材等で構成すればよい。
【００４１】
複数の液晶モジュール６を積層する場合、図３に示すように、複数のトレイ６２を準備し、それぞれのトレイ６２内の底部に液晶モジュール６１を載置して、複数のトレイ６２を積み上げるようにしても良い。そうすることにより、それぞれの液晶モジュール６１を個別のトレイ６２に分けて収納することができ、液晶モジュール６１同士の接触を防止することができる。このため、液晶モジュール６１に傷つけることなく液晶モジュール６１を輸送することが可能となる。なお、トレイ６２は、液晶モジュール配置板７と同様、例えば、アルミニウム等の金属や、ＰＰ（ポリプロピレン）からなる帯電防止材等で構成すればよい。
【００４２】
梱包袋１内に複数の液晶モジュール６が収納された後、排気ポンプ等の真空吸引源８が吸気口部３に接続される。真空吸引源８は吸気口部３と接続可能なノズルを有しており、そのノズルと吸気口部３を通じて梱包袋１内の空気を吸引する。真空吸引源８は梱包袋１内の気圧が大気圧以下になるまで減圧する。この際、梱包袋１の開口部２は、図１で示した開口部側密閉部材５ａを用いて閉じられている。
【００４３】
梱包袋１内が大気圧以下に減圧された後、梱包袋１の吸気口部３を図１で示した吸気口部側密閉部材５ｂを用いて閉じ、開口部側密閉部材５ａ及び吸気口部側密閉部材５ｂを用いて梱包袋１の開口部２及び吸気口部３が真空パッキングすることにより、梱包袋２３内を真空状態で保持することが可能となる。
【００４４】
そして、真空パッキングされた梱包袋１は、特許文献１に開示された上記の梱包方法と同様、段ボール箱等の外装用梱包箱内に収納され、輸送されることになる。
【００４５】
次に、本発明の特徴部分である開口部側低抵抗領域４ａ及び吸気口部側低抵抗領域４ｂの動作及び効果について説明する。本実施の形態においても、特許文献１に開示された上記の梱包方法の場合と同様、真空パッキングされた梱包袋１の開梱が行われるときには、梱包袋１内に流れ込む空気と梱包袋１との間に摩擦が生じ、その摩擦に起因して梱包袋１の開口部２及び吸気口部３が帯電してしまう。
【００４６】
しかしながら、本実施の形態においては、梱包袋１内に空気が流れ込む位置である開口部２及び吸気口部３付近に開口部側低抵抗領域４ａ及び吸気口部側低抵抗領域４ｂが配置されている。上述したように、開口部側低抵抗領域４ａ及び吸気口部側低抵抗領域４ｂは、梱包袋１の他の領域と比べて小さい抵抗値を有している。このため、上記の摩擦帯電により梱包袋１に蓄積される電荷は、当然のことながら、周囲と比較して抵抗値の小さい開口部側低抵抗領域４ａ及び吸気口部側低抵抗領域４ｂに保持されることになる。すなわち、開口部側低抵抗領域４ａ及び吸気口部側低抵抗領域４ｂは、図２に示したように、開口部２及び吸気口部３の近傍に配置されていることから、梱包袋１の帯電電荷は、梱包袋１の開口部２及び吸気口部３側に留まることになる。したがって、上記の帯電電荷が梱包袋１の中央部付近に収納されている液晶モジュール６に伝導することを防止することができる。
【００４７】
開口部側低抵抗領域４ａ及び吸気口部側低抵抗領域４ｂに保持された帯電電荷は、梱包袋１内に収納されている液晶モジュール６を取り出す前に、梱包袋１から除去される必要がある。なぜなら、除去される前に液晶モジュール６を取り出した場合、梱包袋１の開口部２付近を液晶モジュール６が通過する際に、液晶モジュール６が開口部側低抵抗領域４ａと接触し、開口部側低抵抗領域４ａに保持された帯電電荷が液晶モジュール６に伝導するおそれがあるからである。以下図４を用いて、上記の帯電電荷の除去について説明する。
【００４８】
図４は、梱包袋１から帯電電荷を除去する場合を説明するための図である。ここでは、梱包袋１は一旦真空パッキングされた後に開梱され、その開梱の際に生じた帯電電荷が開口部側低抵抗領域４ａ及び吸気口部側低抵抗領域４ｂにすでに保持されているものとする。
【００４９】
図４に示すように、開梱された梱包袋１は、液晶モジュール６を収納したままの状態で、梱包袋１を矢印Ａで示す方向に搬送するための搬送部材１４上に配置されている。搬送部材１４は、例えば、搬送部材１４を駆動する駆動回路に接続されており、駆動回路からの指示に従って梱包袋１を搬送する。搬送部材１４は、液晶モジュール６が未だ収納されたままである梱包袋１を確実にハンドリングできるように、その形状や材質、サイズ等が決められている。また、搬送部材１４の梱包袋１の設置面に梱包袋１を固定するための真空チャック等を設けても良い。
【００５０】
なお、梱包袋１の利用者自身が搬送部材１４を直接動かすようにしても良い。さらに、搬送部材１４を用いることなく、利用者自身の手で梱包袋１を搬送するのであってももちろん構わない。
【００５１】
搬送部材１４は、静電気除去基板１０の上方において梱包袋１を搬送する。ここで、静電気除去基板１０の梱包袋１に対向する面上にアルミニウム等の金属からなる導電性の板１１（以下、「導電性板１１」と呼ぶ。）が配置されている。搬送部材１４は、梱包袋１の開口部側低抵抗領域４ａ及び吸気口部側低抵抗領域４ｂの各々と導電性板１１とが軽く接触するように、静電気除去基板１０と梱包袋１との間の距離を保持しながら、矢印Ａで示す方向に梱包袋１を搬送する。
【００５２】
導電性板１１は導線１２を通して接地電圧１３に接続されており、開口部側低抵抗領域４ａ及び吸気口部側低抵抗領域４ｂの各々と導電性板１１とが接触すると、開口部側低抵抗領域４ａ及び吸気口部側低抵抗領域４ｂの各々に保持されている帯電電荷は導電性板１１及び導線１２を通して接地電圧１３に放電されることになる。すなわち、搬送部材１４が梱包袋１を静電気除去基板１０の上方を矢印Ａで示す方向に搬送することにより、梱包袋１の開口部側低抵抗領域４ａ及び吸気口部側低抵抗領域４ｂは順次導電性板１１と接触する。そして、開口部側低抵抗領域４ａ及び吸気口部側低抵抗領域４ｂの各々が導電性板１１と接触したときに、各々の帯電電荷が導電性板１１を介して放電される。したがって、梱包袋１が静電気除去基板１０の上方を通過した後には、開口部側低抵抗領域４ａ及び吸気口部側低抵抗領域４ｂの各々の帯電電荷が完全に除去されていることになる。
【００５３】
最後に、本実施の形態にかかる梱包袋を用いた静電気除去方法について簡単に説明する。図５は、本実施の形態の静電気除去方法の処理手順を示すフローチャートである。
【００５４】
図５において、まず、液晶モジュール配置板７上に配置された複数の液晶モジュール６を梱包袋１内に収納する（ステップＳ１０１）。
【００５５】
次に、上記のステップＳ１０１において梱包袋１内に複数の液晶モジュール６が収納された後、真空吸引源８を吸気口部３に接続し、吸気口部３を通じて梱包袋１内の空気を吸引する。この吸引の際、梱包袋１の開口部２は開口部側密閉部材５ａを用いて閉じられている。
【００５６】
そして、梱包袋１内が大気圧以下に減圧された後、梱包袋１の吸気口部３を吸気口部側密閉部材５ｂを用いて閉じ、開口部側密閉部材５ａ及び吸気口部側密閉部材５ｂを用いて梱包袋１の開口部２及び吸気口部３を真空パッキングする。最後に、真空パッキングされた梱包袋１を段ボール箱等の外装用梱包箱内に梱包する（ステップＳ１０２）。
【００５７】
次に、上記のステップＳ１０２において梱包袋１が梱包された後、梱包袋１の輸送が行われる（ステップＳ１０３）。
【００５８】
次に、上記のステップＳ１０３において梱包袋１の輸送が行われた後、梱包袋１内の真空状態を破り、梱包袋１内が大気圧になるように開梱する（ステップＳ１０４）。
【００５９】
次に、上記のステップＳ１０４において梱包袋１内が開梱された後、梱包袋１に液晶モジュール６を収納したままの状態で、梱包袋１を静電気除去基板１０の上方において梱包袋１を搬送する。この搬送の際、梱包袋１の開口部側低抵抗領域４ａ及び吸気口部側低抵抗領域４ｂの各々と導電性板１１とを接触させて各々の帯電電荷を放電し、除去する（ステップＳ１０５）。
【００６０】
最後に、上記のステップＳ１０５において梱包袋１の静電気が除去された後、梱包袋１内に収納されている液晶モジュール６の取り出しを行う。
【００６１】
このようにして、本実施の形態の静電気除去方法の処理手順が実行される。
【００６２】
以上説明したように、本発明の実施の形態によれば、梱包袋１を開梱したときに摩擦帯電による電荷が生じても、その電荷は開口部側低抵抗領域４ａ及び吸気口部側低抵抗領域４ｂに保持され、帯電電荷が梱包袋１内に収納されている液晶モジュール６に伝導してしまうことが回避される。したがって、液晶モジュール６に搭載されたＩＣ、ＬＳＩ等の帯電電荷による静電破壊が防止され、梱包袋１の信頼性が向上する。同時に、梱包袋１自身にも静電放電を引き起こすことがなくなり、梱包袋１に微小な穴を形成する要因が低減される。このため、梱包袋１の気密性を向上するとともに、梱包袋１の延命化も図ることができる。
【００６３】
上記の実施の形態においては、梱包袋１内が開梱された後に、梱包袋１を静電気除去基板１０の上方において梱包袋１を搬送し、開口部側低抵抗領域４ａ及び吸気口部側低抵抗領域４ｂの各々の帯電電荷を除去していたが、本発明はこれに限られるものではない。例えば、梱包袋１内が開梱される時に、開口部側低抵抗領域４ａ及び吸気口部側低抵抗領域４ｂの各々と導電性板１１とを接触させておいても良い。この場合、梱包袋１を開梱したときに摩擦帯電による帯電電荷が生じると、開口部側低抵抗領域４ａ及び吸気口部側低抵抗領域４ｂを通して直接放電されることになる。このため、帯電電荷の放電をより効果的に行うことができる。
【００６４】
また、上記の実施の形態においては、梱包袋１の開口部２及び吸気口部３の各々に開口部側低抵抗領域４ａ及び吸気口部側低抵抗領域４ｂを設けたが、開口部２及び吸気口部３のいずれか一方のみに開口部側低抵抗領域４ａあるいは吸気口部側低抵抗領域４ｂを設けるようにしても構わない。例えば、真空パッキングされた梱包袋１の開梱を吸気口部３のみを通して行う場合であれば、吸気口部側低抵抗領域４ｂのみを設ければよいことになる。
【００６５】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００６６】
本発明は、液晶表示装置の液晶表示パネルを構成するカラーフィルター基板やＴＦＴアレイ基板等からなる液晶モジュールを梱包する梱包袋に対して好適なものである。
【図面の簡単な説明】
【００６７】
【図１】本発明の実施の形態にかかる梱包袋の外観構成を示す斜視図である。
【図２】図１の梱包袋内に被梱包物が収納された状態を説明するための図である。
【図３】図１の梱包袋内に収納された液晶モジュールの具体例を示す図である。
【図４】図１の梱包袋から帯電電荷を除去する場合を説明するための図である。
【図５】本発明の実施の形態にかかる静電気除去方法の処理手順を示すフローチャートである。
【図６】従来の梱包方法を説明するための図である（その１）。
【図７】従来の梱包方法を説明するための図である（その２）。
【図８】従来の梱包方法を説明するための図である（その３）。
【符号の説明】
【００６８】
１、２３    梱包袋
２    開口部（通気口）
３    吸気口部（通気口）
４ａ    開口部側低抵抗領域
４ｂ    吸気口部側低抵抗領域
５ａ    開口部側密閉部材
５ｂ    吸気口部側密閉部材
６、２１、６１    液晶モジュール
７    液晶モジュール配置板
８、２５    真空吸引源
１０    静電気除去基板
１１    導電性板
１２    導線
１３    接地電圧
２２    アルミニウム板
２４    吸引パイプ
２６    封止
６２    トレイ
２７    外装用梱包箱
２８    緩衝材
【図１】
2009286412.tif 000003
【図２】
2009286412.tif 000004
【図３】
2009286412.tif 000005
【図４】
2009286412.tif 000006
【図５】
2009286412.tif 000007
【図６】
2009286412.tif 000008
【図７】
2009286412.tif 000009
【図８】
2009286412.tif 000010